(57)【要約】【課題】接続負荷を低減させたドアホン親機を提供する。【解決手段】制御信号送信回路４２及び制御信号受信回路４１は、制御信号経路Ｒ１〜Ｒ４上の接続ポイントＰに接続されており、制御信号の周波数帯域のみを通過させることにより子機給電部５から増設親機Ｃへの電源供給を阻止するとともに制御信号を子機接続端子Ｔ１と増設接続端子Ｔ２との間で音声信号及び映像信号とは分離して伝送させるバンドパスフィルタＦ１〜Ｆ４は制御信号経路Ｒ１〜Ｒ４上における接続ポイントＰと子機接続端子Ｔ１との間及び、接続ポイントＰと増設接続端子Ｔ２との間にそれぞれ備えられているドアホン親機Ａ。【選択図】図１
2008034995.tif 000002
【特許請求の範囲】
【請求項１】
特定の周波数帯域の制御信号と当該周波数帯域とは異なる周波数帯域の音声信号及び映像信号とを含む伝送信号を子機及び増設親機との間で伝送線を介して伝送するドアホン親機であって、
伝送線を介して子機と接続される一の子機接続端子と、別の伝送線を介して増設親機に接続される複数の増設接続端子と、増設親機及び子機からの制御信号の認識、解析処理を行い、或いは新たに制御信号を生成する制御部と、制御部からの制御信号を送信する制御信号送信回路と、増設親機及び子機から送信された制御信号を受信する制御信号受信回路と、伝送線を介して子機に電源を供給する電源回路と、親機本体に備えられ制御信号の周波数帯域のみを通過させることにより子機給電部から増設親機への電源供給を阻止するとともに制御信号を子機接続端子と増設接続端子との間で音声信号及び映像信号とは分離して伝送させる制御信号経路を形成するバンドパスフィルタとを備えるドアホン親機において、
制御信号送信回路及び制御信号受信回路は制御信号経路上の接続ポイントに接続されており、バンドパスフィルタは制御信号経路上における接続ポイントと子機接続端子との間及び、接続ポイントと増設接続端子との間にそれぞれ備えられていることを特徴とするドアホン親機。
【請求項２】
制御信号経路は、子機接続端子から接続ポイントに接続され、接続ポイントからは複数に分岐して各増設接続端子に一経路ずつ接続された構成であり、バンドパスフィルタは、接続ポイントと子機接続端子の間及び、接続ポイントと複数の増設接続端子とを結ぶ全ての制御信号経路上に一つずつ備えられていることを特徴とする請求項１記載のドアホン親機。
【発明の詳細な説明】
【技術分野】
【０００１】
本願発明は、子機及び増設親機との間において音声、映像、制御信号の伝送を行っており、バンドパスフィルタを備えることで制御信号を音声信号や映像信号から分離して伝送させる制御信号経路が形成されたドアホン親機に関するものである。
【背景技術】
【０００２】
従来から、特許第３７２６３７２号公報（特許文献１）に示されるように、制御信号経路が形成されたドアホン親機は知られている。このドアホン親機Ａは、図３に示すように、伝送線９１を介して子機Ｂと接続される子機接続端子９２と、伝送線９１を介して増設親機Ｃと接続される増設接続端子９３とを一対ずつ設けており、親機本体において子機接続端子９２と増設接続端子９３とを繋ぐ制御信号経路Ｒが形成されている。この制御信号経路Ｒ上には制御信号受信回路９４と制御信号送信回路９５とが接続された接続ポイントＰが設けられており、接続ポイントＰと子機接続端子９２との間にはバンドパスフィルタＦが設けられている。
【０００３】
したがって、この場合には、制御信号経路Ｒを通じて、制御信号を子機Ｂと増設親機Ｃとの間で音声信号及び映像信号とは分離して伝送させることができる。
【特許文献１】特許第３７２６３７２号公報
【発明の開示】
【発明が解決しようとする課題】
【０００４】
しかしながら、上記従来例であるドアホン親機Ａにあっては、制御信号経路Ｒ上の増設接続端子９３側から伝送される音声信号及び映像信号が、接続ポイントＰにまで伝送される構成となっているため、接続ポイントＰに接続されている制御信号受信回路９４及び制御信号送信回路９５が接続負荷となり、伝送される音声信号及び映像信号が減衰するおそれがあった。
【０００５】
本願発明は、上記背景技術に鑑みて発明されたものであり、その課題は、制御信号を音声信号や映像信号から分離して伝送させる制御信号経路が形成されたドアホン親機において、制御信号の伝送帯域以外の周波数帯域、特に音声信号帯域及び映像信号帯域における接続負荷を低減させたドアホン親機を提供することである。
【課題を解決するための手段】
【０００６】
上記課題を解決するために、本願請求項１記載の発明では、特定の周波数帯域の制御信号と当該周波数帯域とは異なる周波数帯域の音声信号及び映像信号とを含む伝送信号を子機及び増設親機との間で伝送線を介して伝送するドアホン親機であって、伝送線を介して子機と接続される一の子機接続端子と、別の伝送線を介して増設親機に接続される複数の増設接続端子と、増設親機及び子機からの制御信号の認識、解析処理を行い、或いは新たに制御信号を生成する制御部と、制御部からの制御信号を送信する制御信号送信回路と、増設親機及び子機から送信された制御信号を受信する制御信号受信回路と、伝送線を介して子機に電源を供給する子機給電部と、親機本体に備えられ制御信号の周波数帯域のみを通過させることにより子機給電部から増設親機への電源供給を阻止するとともに制御信号を子機接続端子と増設接続端子との間で音声信号及び映像信号とは分離して伝送させる制御信号経路を形成するバンドパスフィルタとを備えるドアホン親機において、制御信号送信回路及び制御信号受信回路は制御信号経路上の接続ポイントに接続されており、バンドパスフィルタは制御信号経路上における接続ポイントと子機接続端子との間及び、接続ポイントと増設接続端子との間にそれぞれ備えられていることを特徴としている。
【０００７】
又、本願請求項２記載の発明では、上記請求項１記載のドアホン親機において、制御信号経路は、子機接続端子から接続ポイントに接続され、接続ポイントからは複数に分岐して各増設接続端子に一経路ずつ接続された構成であり、バンドパスフィルタは、接続ポイントと子機接続端子の間及び、接続ポイントと複数の増設接続端子とを結ぶ全ての制御信号経路上に一つずつ備えられていることを特徴としている。
【発明の効果】
【０００８】
本願請求項１又は２記載のドアホン親機においては、接続ポイントは制御信号経路上で複数のバンドパスフィルタに挟まれる構成となり、子機接続端子側から伝送される信号と、増設接続端子側から伝送される信号の両方の音声信号及び映像信号がバンドパスフィルタでカットされ接続ポイントまでは伝送されないようになっている。したがって、接続ポイントに接続された制御信号送信回路及び制御信号受信回路が、制御信号の伝送帯域以外の周波数帯域、特に音声信号帯域、映像信号帯域、及び直流給電帯域において、接続負荷とはならないため、伝送される音声信号及び映像信号の減衰を低減することができる。
【発明を実施するための最良の形態】
【０００９】
図１は、一実施形態であるドアホン親機Ａを示している。このドアホン親機Ａは、伝送線Ｌ１を介して子機Ｂと接続される一対の子機接続端子Ｔ１と、別の伝送線Ｌ２を介して増設親機Ｃに接続される三対の増設接続端子Ｔ２と、増設親機Ｃ及び子機Ｂからの制御信号の認識、解析処理を行い、或いは操作釦４６からの操作入力に応じて新たに制御信号を生成する制御部４５と、制御部４５からの制御信号を送信する制御信号送信回路４２と、増設親機Ｃ及び子機Ｂから送信された制御信号を受信する制御信号受信回路４１と、伝送線Ｌ１を介して子機Ｂに電源を供給する子機給電部５と、親機本体に備えられ制御信号の周波数帯域のみを通過させることにより子機給電部５から増設親機Ｃへの電源供給を阻止するとともに制御信号を子機Ｂと増設親機Ｃとの間で音声信号及び映像信号とは分離して伝送させる制御信号経路Ｒ１〜Ｒ４を形成するバンドパスフィルタＦ１〜Ｆ４とを備えている。
【００１０】
又、制御信号送信回路４２及び制御信号受信回路４１は制御信号経路Ｒ１〜４上の接続ポイントＰに接続されており、バンドパスフィルタＦ１〜Ｆ４は制御信号経路Ｒ１〜Ｒ４上における接続ポイントＰと子機接続端子Ｔ１との間及び、接続ポイントＰと増設接続端子Ｔ２との間にそれぞれ備えられている。
【００１１】
具体的には、制御信号経路Ｒ１〜Ｒ４は、子機接続端子Ｔ１から接続ポイントＰに接続され、接続ポイントＰからは複数に分岐して各増設接続端子Ｔ２に一経路ずつ接続された構成であり、バンドパスフィルタＦ１〜Ｆ４は、接続ポイントＰと子機接続端子Ｔ１の間及び、接続ポイントＰと複数の増設接続端子Ｔ２とを結ぶ全ての制御信号経路Ｒ１〜Ｒ４上に一つずつ備えられている。
【００１２】
以下、この実施形態のドアホン親機Ａを、より具体的詳細に説明する。図１に示すように、このドアホン親機Ａは、伝送線Ｌ１，Ｌ２を介して子機Ｂと増設親機Ｃとを接続することで、各機の間で映像、音声、制御信号の伝送を行うドアホンシステムの一部となるものである。又、このドアホン親機Ａには三対の増設接続端子Ｔ２が備えられており、この三対の増設接続端子Ｔ２に分かれて四機の増設親機Ｃが伝送線Ｌ２を介して接続されている。なお、伝送線Ｌ１，Ｌ２には二線式の平衡ケーブルが用いられる。
【００１３】
子機Ｂは通常は戸外に設置されるものであって、来訪者を撮像するカメラ（不図示）と、通話用のマイクロホン（不図示）及びスピーカ（不図示）を備えており、ドアホン親機Ａから電力供給を受けて動作している。カメラより出力される映像信号及びマイクロホンより出力される音声信号は、伝送線Ｌ１を介してドアホン親機Ａへと伝送される。一方、ドアホン親機Ａ及び増設親機Ｃから伝送された音声信号はスピーカにて出力される。
【００１４】
カメラの露出やピント、マイクの音量等は調整が可能であり、これらの調整はドアホン親機Ａ、或いは増設親機Ｃからの制御信号を受けて行なわれる。又、このカメラやマイク等の調整の状態は制御信号としてドアホン親機Ａ及び増設親機Ｃへと伝送される。
【００１５】
ドアホン親機Ａは、図１に示すように子機接続端子Ｔ１を備えており、この子機接続端子Ｔ１に子機Ｂからの伝送線Ｌ１が接続され、子機Ｂから入力された信号がドアホン親機Ａに設けられた多重分離回路１ａ及び制御信号経路Ｒ１へと伝送される。ここで、伝送線Ｌ１，Ｌ２は２線式の平衡ケーブルであって、映像信号、音声信号、制御信号の伝送と電源の供給とに用いられるのであるから、伝送線Ｌ１，Ｌ２では映像信号、音声信号、制御信号が混在し、それらの信号が電源に重畳された形で伝送されることになる。映像信号と音声信号と制御信号とは周波数帯域が異なるから（図２参照）、伝送線Ｌ１から子機接続端子Ｔ１を通して入力された信号は、ドアホン親機Ａの多重分離回路１ａにおいて周波数帯域別に分離することにより、映像信号と音声信号に分離され、更にバンドパスフィルタＦ１において制御信号が分離される。
【００１６】
又、ドアホン親機Ａは、子機Ｂのカメラで撮像された画像を表示するためのモニタ２２を備え、更に、子機Ｂとの間で通話を可能とするためにマイクロホン３３およびスピーカ３５を備えている。モニタ２２にはＣＲＴまたは液晶表示器が用いられる。
【００１７】
多重分離回路１ａで分離された映像信号は、映像復調回路２１で復調された後にモニタ２２に入力されて子機Ｂのカメラで撮像した画像がモニタ２２に表示される。又、多重分離回路１ａで分離された音声信号は、２線−４線変換回路３１を通してスピーカアンプ３４に入力されることによって増幅され、スピーカアンプ３４の出力によりスピーカ３５が駆動される。マイクロホン３３からの音声信号はマイクアンプ３２で増幅され、２線−４線変換回路３１を通して多重分離回路１ａに入力される。
【００１８】
又、子機Ｂから入力された信号は、多重分離回路１とは別に制御信号経路Ｒ１にも伝送される。この制御信号経路Ｒ１には、子機接続端子Ｔ１と接続ポイントＰとの間及び接続ポイントＰと増設接続端子Ｔ２との間にバンドパスフィルタＦ１〜Ｆ４が挿入されている。バンドパスフィルタＦ１〜Ｆ４は、インダクタＬ、キャパシタＣ、抵抗Ｒをもとに直列および並列の組み合わせで成したＬＣＲ回路を利用した一般的なものを用いており、制御信号経路Ｒ１〜Ｒ４に制御信号の周波数帯のみを通過させるものである。接続ポイントＰには、制御信号受信回路４１及び制御信号送信回路４２が接続されており、制御信号復調回路４３及び制御信号変調回路４２を経てＣＰＵを備える制御部４５へと繋がっている。
【００１９】
したがって、子機Ｂから入力された信号は、バンドパスフィルタＦ１において音声信号と映像信号とがカットされ制御信号のみが通過し、接続ポイントＰを経由して制御信号受信回路４１にて受信される。受信された制御信号は制御信号復調回路４３で復調された後、制御部４５に入力される。一方、制御部４５で生成されたデータは制御信号変調回路４２により変調された後、制御信号送信回路４２から制御信号として送信され、制御信号経路Ｒ１を通って伝送線Ｌ１に送出される。制御部４５は、子機Ｂにおけるカメラの露出、ピントの調整の指示やマイクの音量調整等の指示を行ない、又それらに関する情報を受け取ってモニタ２２や図示しない表示器に表示させる。
【００２０】
又、ドアホン親機Ａには商用電源に接続されるプラグ５１が設けられ、商用電源を整流し安定化して内部回路や子機Ｂに電源を供給するための子機給電部５が設けられている。多重分離回路１ａにおいて子機給電部５の出力電圧には映像信号、音声信号が重畳される。多重分離回路１ａの出力は、子機接続端子Ｔ１を通して伝送線Ｌ１に送出される。
【００２１】
ところで、ドアホン親機Ａには、子機Ｂのカメラで撮像した画像を表示したり、子機Ｂとの間で通話したり、子機Ｂとの間で制御信号を授受したりする機能があるが、これらの機能は屋内の複数箇所で利用できるほうが望ましい。そこで、ドアホン親機Ａに設けた増設接続端子Ｔ２に伝送線Ｌ２を接続し、この伝送線Ｌ２を介して増設親機Ｃを備えることが考えられている。
【００２２】
増設親機Ｃは、子機Ｂとの間で、映像信号、音声信号、及び制御信号を伝送できるようになっている。つまり、ドアホン親機Ａには増設接続端子Ｔ２と子機接続端子Ｔ１との間に、映像信号、音声信号、制御信号をそれぞれ独立して通過させる経路が形成されている。
【００２３】
増設親機Ｃから入力された信号は各接続端子Ｔ２に対して一つずつ設けられた多重分離回路１ｂ及び制御信号経路Ｒ２，Ｒ３，Ｒ４へと伝送される。多重分離回路１ｂで分離された映像信号は、映像信号増幅用アンプ２３を通して増幅される。これは、映像信号の周波数が高く、平衡ケーブルよりなる伝送線Ｌ１，Ｌ２での減衰量が比較的大きいからであって、映像信号を増幅して増設親機Ｃに伝送することにより増設親機Ｃに対して比較的強い映像信号を伝送することができる。
【００２４】
多重分離回路１ｂで分離された音声信号は、切換回路３６を経て子機接続端子Ｔ１側へと伝送される。ここで切換回路３６は、通話先となる増設親機Ｃが接続された一の増設接続端子Ｔ２のみと通話路を接続するものであり、通話先に応じて接続を切り換えている。なお、一般的に、伝送周波数シフトを施してないため源信号に近い音声信号は、伝送周波数帯域が低いため、伝送線Ｌ１，Ｌ２での減衰量が少なく、多重分離回路１ａ，１ｂの間を接続するだけの簡単な構成で双方向の経路を形成している。
【００２５】
増設親機Ｃから入力された制御信号については、ドアホン親機Ａ内の制御信号経路Ｒ２〜Ｒ４を通過して、子機Ｂと増設親機Ｃ間を伝送するようになっている。つまり、増設親機Ｃから入力された信号は、制御信号経路Ｒ２〜Ｒ３に挿入された増設接続端子Ｔ２側のバンドパスフィルタＦ２〜Ｆ４において音声信号及び映像信号がカットされ制御信号のみが通過し、通過した制御信号は、子機接続端子Ｔ１側のバンドパスフィルタＦ１を通過して子機接続端子Ｔ１から伝送線Ｌ１を通って子機Ｂへと伝送される。又、子機Ｂから入力された信号においては、これと逆方向の経路をたどって増設親機Ｃへと伝送される。
【００２６】
又、増設親機Ｃは、商用電源に接続されるプラグを備え、商用電源を整流し安定化する給電部を備えているが、この給電部は増設親機Ｃの内部回路への給電用であり、ドアホン親機Ａのように子機Ｂへの給電を行なうことはない。なお、子機Ｂと増設親機Ｃとの間にはバンドパスフィルタＦ１〜Ｆ４が介在していることにより、ドアホン親機Ａから子機Ｂに供給されている電源が増設親機Ｃに供給されることもない。
【００２７】
又、ドアホン親機Ａと増設親機Ｃとには操作釦４６（増設親機Ｃの操作釦は不図示）が設けられており、ドアホン親機Ａと増設親機Ｃとの間の呼出などに用いられる。また、伝送線Ｌ２の終端には映像信号の反射を防止するために終端抵抗Ｄが接続される。上述の構成により、ドアホン親機Ａおよび増設親機Ｃは子機Ｂからの映像をモニタ２２に表示でき、更に、子機Ｂとの間で通話が可能になる。したがって、増設親機Ｃをドアホン親機Ａとは異なる場所に配置し、子機Ｂにより撮像した画像の監視や子機Ｂとの間の通話が複数箇所で可能になるのである。
【００２８】
したがって、この実施形態のドアホン親機Ａにおいては、接続ポイントＰと子機接続端子Ｔ１及び増設接続端子Ｔ２とを接続する全ての制御信号経路Ｒ１〜Ｒ４においてバンドパスフィルタＦ１〜Ｆ４が設けられているため、子機接続端子Ｔ１側から伝送される信号と、増設接続端子Ｔ２側から伝送される信号の両方の音声信号、映像信号、及び直流給電成分がバンドパスフィルタＦ１〜４でカットされ接続ポイントＰまでは伝送されないようになっている。よって、接続ポイントＰに接続されている制御信号送信回路４２及び制御信号受信回路４１が接続負荷とはならないため、子機Ｂとドアホン親機Ａ間、及び子機Ｂと増設親機Ｃ間の両方の伝送において、映像信号及び音声信号の減衰を防ぐことができる。
【００２９】
又、背景技術である特許第３７２６３７２号公報に記載されたゴーストの発生の防止や漏話の防止等の効果は、本願発明においても全て維持されていることは言うまでもない。
【図面の簡単な説明】
【００３０】
【図１】本願発明の一実施形態であるドアホン親機を示すブロック図。
【図２】同ドアホン親機における各信号の伝送帯域を示した模式図
【図３】従来例であるドアホン親機を示すブロック図。
【符号の説明】
【００３１】
Ａ  ドアホン親機
Ｂ  子機
Ｃ  増設親機
Ｌ１  伝送線
Ｌ２  伝送線
Ｒ１〜Ｒ４  制御信号経路
Ｆ１〜Ｆ４  バンドパスフィルタ
Ｐ  接続ポイント
Ｔ１  子機接続端子
Ｔ２  増設接続端子
４１  制御信号受信回路
４２  制御信号送信回路
４５  制御部
５  子機給電部
【図１】
2008034995.tif 000003
【図２】
2008034995.tif 000004
【図３】
2008034995.tif 000005